(57)【要約】【課題】枠体が火炎に晒されても、躯体が火炎に晒されにくいカバーユニットおよび建具を提供する。【解決手段】複数の枠材が枠組みされて建物の躯体に取り付けられる枠体と前記建物の外壁材との間を、前記躯体の屋外側にて覆い、前記枠材に沿って配置されるとともに、前記枠体と前記外壁材との間に取り付けられたときに、前記躯体より屋外側に、隣接する前記枠材に沿う長手方向に貫通する中空部を、見込み方向に並べて複数形成するカバー部材と、前記カバー部材の前記長手方向における端部にて前記中空部を塞ぐ合成樹脂製のキャップと、前記カバー部材と前記キャップとの間にて、前記複数の中空部のうちの前記躯体側に位置する躯体側中空部を覆う不燃性または難燃性の補強部材と、を有する【選択図】図１
2015148042.tif 000002
【特許請求の範囲】
【請求項１】
複数の枠材が枠組みされて建物の躯体に取り付けられる枠体と前記建物の外壁材との間を、前記躯体の屋外側にて覆い、前記枠材に沿って配置されるとともに、前記枠体と前記外壁材との間に取り付けられたときに、前記躯体より屋外側に、隣接する前記枠材に沿う長手方向に貫通する中空部を、見込み方向に並べて複数形成するカバー部材と、
前記カバー部材の前記長手方向における端部にて前記中空部を塞ぐ合成樹脂製のキャップと、
前記カバー部材と前記キャップとの間にて、前記複数の中空部のうちの前記躯体側に位置する躯体側中空部を覆う不燃性または難燃性の補強部材と、
を有することを特徴とするカバーユニット。
【請求項２】
請求項１に記載のカバーユニットであって、
前記補強部材は、加熱されて膨張する熱発泡性耐火材を備えていることを特徴とするカバーユニット。
【請求項３】
請求項１または請求項２に記載のカバーユニットであって、
前記熱発泡性耐火材は、前記キャップと前記カバー部材との間において前記補強部材に設けられていることを特徴とするカバーユニット。
【請求項４】
請求項３に記載のカバーユニットであって、
前記補強部材は、前記カバー部材と前記キャップとの間にて前記カバー部材の端部に当接される平板状部と、前記平板状部と交差する方向に設けられて前記躯体側中空部内に挿入される挿入部とを備え、
前記熱発泡性耐火材は、前記挿入部に設けられていることを特徴とするカバーユニット。
【請求項５】
請求項１乃至請求項４のいずれかに記載のカバーユニットと、
前記枠体と、
前記枠体に支持される障子と、
を備えたことを特徴とする建具。
【発明の詳細な説明】
【技術分野】
【０００１】
本発明は、建物の躯体に取り付けられる枠体と、建物の外壁材との間を躯体の屋外側にて覆うカバー部材を有するカバーユニットおよび建具に関する。
【背景技術】
【０００２】
従来から、建具の縦枠が、アルミニウム形材製の縦枠本体と、この縦枠本体に取り付けられるカバーとを備えており、縦枠本体にカバーが取り付けられることにより縦方向に連通する中空部が形成され、縦枠の上下端部の開口には、当該開口を閉塞する樹脂製の端部キャップが設けられている建具が知られている(例えば、特許文献１参照)。
【先行技術文献】
【特許文献】
【０００３】
【特許文献１】特許第４９２８３９３号公報
【発明の概要】
【発明が解決しようとする課題】
【０００４】
上記のような建具の縦枠が火炎等に晒されると、樹脂製の端部キャップは容易に溶融してしまい、中空部に火炎が進入することにより縦枠が溶融し易くなり、また、中空部に進入した火炎と縦枠の溶融部とから進入した火炎に、縦枠が固定されている躯体が晒されるおそれがあるという課題がある。
【０００５】
本発明は、かかる課題に鑑みてなされたものであり、その目的とするところは、枠体が火炎に晒されても、躯体が火炎に晒されにくいカバーユニットおよび建具を提供することにある。
【課題を解決するための手段】
【０００６】
かかる目的を達成するために本発明のカバーユニットは、複数の枠材が枠組みされて建物の躯体に取り付けられる枠体と前記建物の外壁材との間を、前記躯体の屋外側にて覆い、前記枠材に沿って配置されるとともに、前記枠体と前記外壁材との間に取り付けられたときに、前記躯体より屋外側に、隣接する前記枠材に沿う長手方向に貫通する中空部を、見込み方向に並べて複数形成するカバー部材と、前記カバー部材の前記長手方向における端部にて前記中空部を塞ぐ合成樹脂製のキャップと、前記カバー部材と前記キャップとの間にて、前記複数の中空部のうちの前記躯体側に位置する躯体側中空部を覆う不燃性または難燃性の補強部材と、を有することを特徴とする。
【０００７】
このようなカバーユニットによれば、枠体と外壁材との間にカバー部材が取り付けられたときに長手方向に貫通する中空部を形成するカバー部材の長手方向における端部と、この端部に設けられる合成樹脂製のキャップとの間には、不燃性または難燃性の補強部材が設けられているので、たとえ、キャップが火炎等に晒されたとしても、火炎が中空部内に進入することを防止することが可能である。また、中空部は見込み方向に並べて複数設けられており、躯体側に位置する中空部が不燃性または難燃性の補強部材に覆われているので、枠体が火炎に晒されても、躯体が火炎に晒されにくいカバーユニットを提供することが可能である。
【０００８】
かかるカバーユニットであって、前記補強部材は、加熱されて膨張する熱発泡性耐火材を備えていることが望ましい。
このようなカバーユニットによれば、補強部材には熱発泡性耐火材が備えられているので、火炎等により補強部材が加熱される際には熱発泡性耐火材も加熱されて膨張する。このため、カバー部材の端部となる中空部の開口を膨張した耐火材により閉塞し、火炎が中空部内に進入することを防止することが可能である。
【０００９】
かかるカバーユニットであって、前記熱発泡性耐火材は、前記キャップと前記カバー部材との間において前記補強部材に設けられていることが望ましい。
このようなカバーユニットによれば、キャップが加熱された際には、キャップとカバー部材との間にて熱発泡性耐火材を膨張させて中空部を閉塞することが可能である。このとき、熱発泡耐性火材が、補強部材のキャップ側に設けられている場合には、キャップが加熱されると補強部材より先に熱発泡性耐火材が加熱されるので、より早く熱発泡性耐火材を膨張させることが可能である。また、熱発泡性耐火材が、補強部材のカバー部材側に設けられている場合には、膨張した耐火材を中空部内に、より確実に充満させることが可能である。
【００１０】
かかるカバーユニットであって、前記補強部材は、前記カバー部材と前記キャップとの間にて前記カバー部材の端部に当接される平板状部と、前記平板状部と交差する方向に設けられて前記躯体側中空部内に挿入される挿入部とを備え、前記熱発泡性耐火材は、前記挿入部に設けられていることが望ましい。
このようなカバーユニットによれば、熱発泡性耐火材は、躯体側中空部内に挿入される挿入部に設けられているので、確実に躯体側中空部内で膨張させて中空部を閉塞することが可能である。
【００１１】
また、前記カバーユニットと、前記枠体と、前記枠体に支持される障子と、を備えたことを特徴とする建具である。
このような建具によれば、躯体より屋外側に形成された中空部に火炎が進入し難いので、枠体および躯体が火炎に晒されることを防止することができる耐火性に優れた建具を提供することが可能である。
【発明の効果】
【００１２】
本発明によれば、枠体が火炎に晒されても、躯体が火炎に晒されにくいカバーユニットおよび建具を提供することが可能である。
【図面の簡単な説明】
【００１３】
【図１】本実施形態に係るカバーユニット及び建具の一部を示す平断面図である。
【図２】カバーユニットの構成を説明するための平断面図である。
【図３】カバーユニットの構成を示す斜視図である。
【図４】カバーユニットの変形例を示す平断面図である。
【発明を実施するための形態】
【００１４】
以下、本発明の一実施形態に係るカバーユニットおよびこのカバーユニットを備えた建具について図面を参照して説明する。
本実施形態では、建具として、建物の屋内外を仕切る外壁に設けられた開口に嵌め込まれ、窓の幅方向に移動する回動軸に支持されて回動自在な障子を備えた辷り出し窓用の建具を例に挙げて説明する。
【００１５】
以下の説明においては、建具が建物に取り付けられている状態で屋内側から見たときに、上下となる方向を上下方向、左右となり窓の幅となる方向を左右方向または幅方向、屋内外方向である奥行き方向を見込み方向とするとともに、矩形状をなす枠体の面内方向における内側を内周側、外側を外周側として示す。また、建具を構成する各部材及び各部位については、単体の状態であっても建具が取り付けられた状態で上下方向、左右方向、見込み方向等となる方向、及び、枠体の内周側、外周側にて方向を特定して説明する。
【００１６】
建具１は、図１に示すように、アルミニウム製の押出成形材でなる４本の枠材が矩形状に枠組みされて建物４の躯体２に取り付けられる枠体１０と、枠体１０に取り付けられる障子３と、窓の幅方向において枠体１０と外壁材５との間に配置され枠体１０とともに躯体２の屋外側に複数の中空部１２ａ、１２ｂ、１２ｃを形成するアルミニウム製の押出成形材でなるカバー部材１２と、カバー部材１２の長手方向における端部１２ｄ（図３）にて複数の中空部１２ａ、１２ｂ、１２ｃを覆う合成樹脂製のキャップ１３(図３)と、カバー部材１２の端部１２ｄとキャップ１３との間に介在されて複数の中空部１２ａ、１２ｂ、１２ｃのうち、少なくとも、より躯体２側に位置する躯体側中空部１２ｂ、１２ｃを覆う金属製、例えばステンレス製の補強部材１４と、を有している。図１においては、キャップ１３を省略して示している。ここで、カバーユニット７は、カバー部材１２と、補強部材１４と、キャップ１３とにより構成される。
【００１７】
枠体１０は、上下に配置される枠材でなる上下の横枠（不図示）と、左右に配置される枠材でなる左右の縦枠１１とが、上下の横枠の端部に左右の縦枠１１が当接されて矩形状に枠組みされている。このため、横枠の小口は縦枠１１により塞がれている。
【００１８】
左右に配置される縦枠１１同士、および、各縦枠１１と隣接し縦枠１１に沿って取り付けられる左右のカバー部材１２同士は、同一部材の部材であって、左右が反転するように配置されて用いられる。このため、ここでは屋内側から見て左側の縦枠(以下、単に縦枠という)１１および左側のカバー部材（以下、単にカバー部材という）１２を例に挙げて本発明について説明する。
【００１９】
縦枠１１は、枠体１０が取り付けられている躯体２の外壁材５と対向する面２ａに当接されてビス止めされるヒレ状の固定ヒレ部１１ａと、固定ヒレ部１１ａと直交し閉じた状態の障子３の戸先框３ａと対向する見込面１１ｂを形成する見込み壁部１１ｃと、見込み壁部１１ｃの屋内側の端にて枠体１０の屋内側に設けられる額縁１５の屋外側の面１５ａが当接される額縁当接部１１ｄと、額縁当接部１１ｄと固定ヒレ部１１ａとの間にて躯体２と反対側、すなわち枠体１０の内周側に突出されて戸先框３ａの屋内側の面３ｂと対向する突出対向部１１ｅと、を有している。
【００２０】
縦枠１１は、固定ヒレ部１１ａが、屋外側から躯体２に進入するビス１６により、また、見込み壁部１１ｃが額縁当接部１１ｄと突出対向部１１ｅとの間で枠体１０の内周側から躯体２に進入するビス１７により、それぞれ躯体２に固定されている。縦枠１１の突出対向部１１ｅより屋内側には、枠体１０の内周側から見込み壁部１１ｃを貫通して締め込まれるビス１７及び額縁１５の屋外側の縁１５ｂを、枠体１０の内周側から覆うとともに、突出対向部１１ｅに係合して障子３の戸先框３ａが当接されるシール材１８を保持するシール保持部材１９が嵌合されて設けられている。
【００２１】
図２に示すように、縦枠１１が躯体２に固定された状態で、見込み壁部１１ｃの屋外側の先端は、外壁材５よりも屋外側に突出している。見込み壁部１１ｃの屋外側の先端には、カバー部材１２に設けられた係合部１２ｅが係合される被係合部１１ｆが設けられている。被係合部１１ｆは、見込み壁部１１ｃの先端と繋がって、当該見込み壁部１１ｃと、窓の幅方向に僅かに間隔を隔てた位置にて屋内側に延出される延出片１１ｇが形成されて鉤状をなしている。
【００２２】
縦枠１１の固定ヒレ部１１ａには、屋外側に向かって突出してその先端にフック部１１ｈを有し、カバー部材１２に設けられた係止部１２ｆが係止される一対の被係止部１１ｉが設けられている。すなわちカバー部材１２は、ビス１６、１７により躯体２に固定された縦枠１１の被係止部１１ｉに係止部１２ｆが係止されて取り付けられる。
【００２３】
カバー部材１２は、縦枠１１とほぼ同じ長さを有し、窓の幅方向において外壁材５と縦枠１１の見込み壁部１１ｃとの間に配置されて、躯体２に当接されている固定ヒレ部１１ａを覆うように設けられる。
【００２４】
カバー部材１２は、水平断面がほぼ矩形状をなし長手方向に貫通する中空部(以下、カバー中空部という)１２ａを備えている。カバー部材１２が取り付けられたときに外壁材５と平行をなし、カバー中空部１２ａを形成して屋外に臨む面を有する屋外壁部１２ｇは、カバー中空部１２ａより枠体１０の内周側に延出されており、その端縁が屋内側に延出されて、縦枠１１の被係合部１１ｆと係合する係合部１２ｅが設けられている。
【００２５】
カバー中空部１２ａを形成し屋外壁部１２ｇと見込み方向に対向する屋内壁部１２ｈの屋内側には、カバー部材１２の上下に取り付けられるキャップ１３をビス止めするためのビス螺合部１２ｉが窓の幅方向におけるほぼ中央に設けられている。
【００２６】
カバー部材１２は、カバー中空部１２ａを形成する左壁部１２ｊと右壁部１２ｋとがカバー中空部１２ａより屋内側に延出された左壁延出部１２ｌと右壁延出部１２ｍとを有している。左壁延出部１２ｌと右壁延出部１２ｍとの間には、屋内壁部１２ｈから左壁延出部１２ｌおよび右壁延出部１２ｍと平行をなすように中央延出部１２ｎが設けられている。
【００２７】
左壁延出部１２ｌ、右壁延出部１２ｍおよび中央延出部１２ｎの屋内壁部１２ｈからの延出量は等しく形成されており、右壁延出部１２ｍと中央延出部１２ｎの先端には、縦枠１１に設けられた被係止部１１ｉに係止する係止部１２ｆが設けられている。
【００２８】
カバー部材１２の係合部１２ｅが枠体１０の被係合部１１ｆに係合され、カバー部材１２の係止部１２ｆが縦枠１１の被係止部１１ｉに係止されると、左壁延出部１２ｌ、右壁延出部１２ｍおよび中央延出部１２ｎの先端が各々縦枠１１の固定ヒレ部１１ａに当接される。このとき、カバー中空部１２ａの屋内側、すなわち躯体２側に、縦枠１１とともに、縦枠１１およびカバー部材１２の長手方向に貫通する中空部１２ｂ、１２ｃが形成される。
【００２９】
カバー部材１２が縦枠１１に取り付けられて、カバー部材１２が備えるカバー中空部１２ａの躯体２側に形成される中空部１２ｂ、１２ｃが、カバー部材１２が、このカバー部材１２と隣接する縦枠（枠材）１１とともに形成し、見込み方向に並ぶ複数の中空部１２ａ、１２ｂ、１２ｃのうちの躯体２側に位置する躯体側中空部１２ｂ、１２ｃに相当する。取り付けられたカバー部材１２と外壁材５との間には、図１に示すように、パックアップ材２０が設けられ、その屋外側に止水剤２１が充填される。
【００３０】
このように取り付けられたカバー部材１２の上下の端部１２ｄには、それぞれ、図３に示すような、ステンレス製の補強部材１４が、カバー部材１２の小口(端部)１２ｄに当接され、補強部材１４とともに小口を覆う合成樹脂製のキャップ１３が設けられて、カバー部材１２のビス螺合部１２ｉに螺合されるビス２２にて固定される。
【００３１】
補強部材１４は、カバー部材１２が備えるカバー中空部１２ａと躯体側中空部１２ｂ、１２ｃとをほぼ覆う平板状部１４ａと、平板状部１４ａの見込み方向に沿う左右の縁において躯体２側の部位から、平板状部１４ａの平面と交差（本実施形態では直交）する方向に延出され、窓の幅方向において互いに対向する対向延出部１４ｂと、を有している。
【００３２】
２つの対向延出部１４ｂは、平板状部１４ａがカバー部材１２の小口に当接されたときに、左側の対向延出部１４ｂが左壁延出部１２ｌと中央延出部１２ｎとの間に形成された躯体側中空部１２ｂに挿入され、右側の対向延出部１４ｂが、右壁延出部１２ｍと縦枠１１の見込み壁部１１ｃとの間に挿入される。ここで、左壁延出部１２ｌと中央延出部１２ｎとの間の躯体側中空部１２ｂに挿入される左側の対向延出部１４ｂが挿入部に相当する。
【００３３】
補強部材１４には、２つの対向延出部１４ｂの各々対向する面と、平板状部１４ａにおいてカバー部材１２の小口に当接されない面における躯体２側の領域とに、熱発泡性耐火材としての熱膨張性黒鉛２３が設けられている。このとき、平板状部１４ａに設けられた熱膨張性黒鉛２３は、補強部材１４を取り付けたときに、少なくとも躯体側中空部１２ｂ、１２ｃの一部を覆うように設けられている。
【００３４】
キャップ１３は、カバー部材１２が備えるカバー中空部１２ａと躯体側中空部１２ｂ、１２ｃとを、補強部材１４も含めて覆い、縦枠１１に取り付けられたカバー部材１２の端部１２ｄを収容する僅かな窪みを有している。このキャップ１３は、合成樹脂製なので、その弾性によりカバー部材１２に嵌め付けられ、ビス２２にてカバー部材１２に固定される。
【００３５】
本実施形態のカバーユニット７及び建具１によれば、縦枠１１と外壁材５との間にカバー部材１２が取り付けられたときに長手方向に貫通する中空部１２ａ、１２ｂ、１２ｃを形成するカバー部材１２の長手方向における端部１２ｄと、この端部１２ｄに設けられる合成樹脂製のキャップ１３との間には、ステンレス製の補強部材１４が設けられているので、たとえ、キャップ１３が火炎等に晒されたとしても、火炎が中空部１２ａ、１２ｂ、１２ｃ内に進入することを防止することが可能である。
【００３６】
また、本実施形態のように中空部１２ａ、１２ｂ、１２ｃが見込み方向に並べて複数設けられている場合には、少なくとも躯体２側に位置する躯体側中空部１２ｂ、１２ｃがステンレス製の補強部材１４に覆われていることにより、枠体１０が火炎に晒されても、躯体２が火炎に晒されにくいカバーユニット７および建具１を提供することが可能である。
【００３７】
また、補強部材１４には熱膨張性黒鉛２３が備えられているので、火炎等により補強部材１４が加熱される際には熱膨張性黒鉛２３も加熱されて膨張する。このため、カバー部材１２の端部１２ｄとなるカバー中空部１２ａおよび躯体側中空部１２ｂ、１２ｃの開口を膨張した耐火材により閉塞し、火炎がカバー中空部１２ａおよび躯体側中空部１２ｂ、１２ｃ内に進入することを防止することが可能である。このとき、熱膨張性黒鉛２３は、キャップ１３と補強部材１４との間に設けられているので、キャップ１３が加熱された際には、補強部材１４より先に熱膨張性黒鉛２３が加熱されるので、より早く熱膨張性黒鉛２３を膨張させることが可能である。
【００３８】
また、熱膨張性黒鉛２３は、左側の躯体側中空部１２ｂ内に挿入される対向延出部１４ｂに設けられているので、確実に左側の躯体側中空部１２ｂ内にて膨張させてカバー部材１２の端部１２ｄにて躯体側中空部１２ｂを閉塞することが可能である。
【００３９】
上記実施形態においては、補強部材１４が中空部１２ａ、１２ｂ、１２ｃをいずれも覆う例について説明したが、少なくなくとも躯体側中空部１２ｂ、１２ｃが覆われていれば、躯体２が火炎に晒されにくいカバーユニット７および建具１を実現することが可能である
【００４０】
また、本実施形態の建具１によれば、躯体２より屋外側に形成された中空部１２ａ、１２ｂ、１２ｃ、特に躯体側中空部１２ｂ、１２ｃに火炎が進入し難いので、枠体１０および躯体２が火炎に晒されることを防止して耐火性に優れた建具１を提供することが可能である。
【００４１】
上記実施形態においては、左壁延出部１２ｌ、右壁延出部１２ｍおよび中央延出部１２ｎの先端が各々縦枠１１の固定ヒレ部１１ａに当接されて形成される空間を躯体側中空部１２ｂ、１２ｃとしたが、これに限るものではない。すなわち、カバー部材が縦枠に取り付けられて形成される中空部は、カバー部材と縦枠との境界部に隙間がないように囲まれた空間でなくともよい。たとえば、上記実施形態のように、カバー部材１２と縦枠１１との境界部が、外壁５のような耐火性を備えた部材より屋内側に位置する場合には、左壁延出部１２ｌと固定ヒレ部１１ａとが必ずしも当接していなくとも、屋外に露出しない範囲であれば左壁延出部１２ｌと固定ヒレ部１１ａとの間に隙間を有していても構わない。
【００４２】
上記実施形態においては、カバー部材１２が取り付けられて、カバー部材１２が枠体１０とともに躯体２の屋外側に複数の中空部１２ａ、１２ｂ、１２ｃを形成する例について説明したが、これに限るものではない。例えば、図４に示すように、カバー部材２４自身が、躯体２の屋外側に複数の中空部２４ａ、２４ｂを有していてもよい。この場合には、躯体２に取り付けられたカバー部材２４が有する躯体側中空部２４ｂが補強部材１４に覆われる。また、上記実施形態においては、見込み方向に２つの中空部が並ぶように設けられている例について説明したが、これに限らず、３つ以上の中空部が見込み方向に並べて設けられていても構わない。この場合には、少なくとも最も躯体側に位置する中空部が補強部材に覆われていればよく、躯体側から、２つ以上の中空部が覆われていても構わない。
【００４３】
上記実施形態においては、辷り出し窓用の建具を例に挙げて説明したが、これに限らず、例えば、引き違い窓用、片引き窓、上げ下げ窓などのように枠体と障子とを備えた建具や枠体に移動不能に面材が設けられた建具であっても構わない。
【００４４】
上記実施形態においては、補強部材１４を不燃性であるステンレス製としたが、鉄等の不燃性である金属等は、もちろんのこと、火災によりまず表面が炭化し、炭化した表面の断熱効果により内部に燃え進むことを遅らせる、例えば、ＭＤＦ・木材等のような難燃性の材料にて補強部材を構成しても構わない。また、前述した金属製材料と木材の組合せで構成された補強材でも構わない。
【００４５】
上記実施形態においては、キャップ１３とカバー部材１２との間に設けられた補強部材１４のキャップ１３側に熱膨張性黒鉛２３を備えた例について説明したが、補強部材１４のカバー部材１２側に熱膨張性黒鉛２３を備えても構わない。この場合には、加熱された熱膨張性黒鉛２３は膨張して躯体側中空部１２ｂ、１２ｃ内に充満するので、躯体側中空部１２ｂ、１２ｃをより確実に閉塞することが可能である。
【００４６】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４７】
１  建具、２  躯体、３、障子、４  建物、５  外壁材、７  カバーユニット、
１０  枠体、１１  縦枠（枠材）、１２  カバー部材、
１２ａ  カバー中空部(中空部)、１２ｂ、１２ｃ  躯体側中空部（中空部）
１２ｄ  カバー部材の端部、１３  キャップ、１４  補強部材、
１４ａ  平板状部、１４ｂ  対向延出部、２３  熱膨張性黒鉛、
２４  カバー部材、２４ａ  中空部、２４ｂ  躯体側中空部
【図１】
2015148042.tif 000003
【図２】
2015148042.tif 000004
【図３】
2015148042.tif 000005
【図４】
2015148042.tif 000006